(57)【特許請求の範囲】
【請求項１】
撮像された被写体画像を記録媒体に記録するカメラ装置において、
撮影指示の有無を検出する撮影指示検出手段と、
前記撮影指示検出手段により撮影指示が検出された後、撮像素子より画像信号を取得する処理と、この取得した画像信号に所定の信号処理を施して記録部に記録する処理とを実行する撮影記録手段と、
前記撮像素子より得られる画像信号を積分することにより１ライン分の画素値を積分した積分値を出力する積分出力手段と、
前記積分出力手段により出力された前記積分値を保持する保持手段と、
前記撮影指示検出手段により撮影指示が検出された場合に、前記保持手段に保持されている前記積分値と前記積分出力手段より新たに出力される前記積分値との差が所定値よりも大きいか否かを判定する判定手段と、
前記判定手段により差が所定値よりも大きいと判定された場合に報知を行う報知手段と、
を備えたことを特徴とするカメラ装置。
【請求項２】
前記積分出力手段は、前記撮影記録手段による前記所定の信号処理の出力を積分して前記１ライン分の画素値を積分した積分値を得ることを特徴とする請求項１記載のカメラ装置。
【発明の詳細な説明】
【０００１】
【発明の属する技術分野】
本発明はデジタルカメラ等のカメラ装置に関し、特に、カメラ装置の撮像補助機能に関する。
【０００２】
【従来の技術】
カメラ装置で、撮像前の警告や案内等、例えば、セルフタイマーのカウントダウン等を行なったりするものがある。
【０００３】
【発明が解決しようとする課題】
しかしながら、従来行なわれている撮像前の警告や案内等では撮像結果を現像したり（銀塩カメラ）、再生して（デジタルカメラ）画像を確認して見なければわからないという問題点があった。
【０００４】
ここで、デジタルカメラ等のカメラ装置では撮像結果を記録し、表示装置に再生するために各種撮像データ、例えば、輝度信号や色信号等を生成したり各種の値を生成するものがある。このようなカメラ装置で撮像データに基づいて撮像後に焦点距離（Ｆ値）やシャッタースピード等の撮像条件や、手振れ、ピンボケ、光量不足、水滴や指脂等の付着によるレンズ汚れ等による画像の撮像状態（撮像不良状態）等を使用者に知らせることができれば、画像を再生する前に撮像状態を容易に知ることができるので、即座に撮像現場で撮直し等ができて便利である。
【０００５】
本発明は、上記従来技術の問題点および課題を解決するためになされたものであり、撮像時の撮像条件や画像の撮像状態を撮像後に使用者に報知し得るカメラ装置の提供を目的とする。
【０００６】
【課題を解決するための手段】
請求項１記載の発明は、撮像された被写体画像を記録媒体に記録するカメラ装置において、撮影指示の有無を検出する撮影指示検出手段と、前記撮影指示検出手段により撮影指示が検出された後、撮像素子より画像信号を取得する処理と、この取得した画像信号に所定の信号処理を施して記録部に記録する処理とを実行する撮影記録手段と、前記撮像素子より得られる画像信号を積分することにより１ライン分の画素値を積分した積分値を出力する積分出力手段と、前記積分出力手段により出力された前記積分値を保持する保持手段と、前記撮影指示検出手段により撮影指示が検出された場合に、前記保持手段に保持されている前記積分値と前記積分出力手段より新たに出力される前記積分値との差が所定値よりも大きいか否かを判定する判定手段と、前記判定手段により差が所定値よりも大きいと判定された場合に報知を行う報知手段と、を備えたことを特徴とする。
【０００７】
請求項２記載の発明は、更に、前記積分出力手段は、前記撮影記録手段による前記所定の信号処理の出力を積分して前記１ライン分の画素値を積分した積分値を得ることを特徴とする。
【００１２】
【発明の実施の形態】
＜回路構成例＞
図１は、本発明を適用したカメラ装置の一実施例としてのデジタルカメラの回路構成例を示すブロック図であり、図１（ａ）で、デジタルカメラ１００は、音声出力部１０、光学系１１、信号変換部１２、信号処理部１３、ＤＲＡＭ１４、制御部２０、操作部３０、表示部４０、ＯＳＤデータ用ＲＯＭ４５、記録部５０および電源９０を有している。なお、音声メモリーを備えるように構成してもよい。また、温度計測器、湿度計測器、高度計等の環境条件計測器や振動検知装置などの撮像状態検知装置とそれらに接続するＡ／Ｄ変換器を設けるようにしてもよい。
【００１３】
音声出力部１０（図２）は、撮像状態等を撮像者に報知するための音声メッセージ等を出力する。
【００１４】
光学系１１は、撮像レンズ１１１と光量測定装置を含む自動絞り機構１１２を含み、撮像レンズ１１１を介して集光された被写体像の光束を後段のＣＣＤ上に結像させる。
【００１５】
信号変換部１２は、ＣＣＤ，ＣＣＤ駆動用タイミング信号生成回路，ＣＣＤ駆動用垂直ドライバ，自動利得制御回路およびＡ／Ｄ変換器を含み、前段の光学系１１を介してＣＣＤに結像した画像を電気信号に変換し、デジタルデータ（以下、画像データ）に変換して一定の周期で出力する。
【００１６】
信号処理部１３は、カラープロセス回路およびＤＭＡコントローラを有し、信号変換部１２からの出力をカラープロセス処理して、デジタルの輝度、色差マルチプレクス信号（ＹＵＶデータ）とし、ＹＵＶデータをＤＲＡＭ１４の指定領域にＤＭＡ（ダイレクトメモリーアクセス）転送し、展開する。また、信号処理部１３は記録保存の際にＤＲＡＭ１４に書込まれているＹＵＶデータを読み出してＪＰＥＧ圧縮処理を施す。また、記録部５０を介して取り込まれた記録媒体（メモリーカード）５１に保存記録されていた画像データに伸張処理を施してＹＵＶデータを再生する。
【００１７】
制御部２０は図１（ｂ）に示すように、ＣＰＵ２１、ＲＡＭ２２、ＲＯＭ２３およびタイマー２４を有している。
【００１８】
ＣＰＵ２１は、上述の各回路および図示しない電源切換えスイッチ等にバスラインを介して接続し、ＲＯＭ２３に格納されている制御プログラムによりデジタルカメラ１００全体の制御を行なうと共に、操作部３０からの状態信号に対応してデジタルカメラの各機能の実行制御、例えば、ＲＯＭ２３内に格納された各処理手段の実行による各機能の実現のための実行制御、を行なう。
ＲＡＭ２２はデータ或いは処理結果の一時記憶および中間作業領域等に用いられる。
ＲＯＭ２３は上述の制御プログラムおよびデジタルカメラ１００のその他の各機能を実行させるためのプログラムを記録する記録媒体であり、ＰＲＯＭ、ＦＲＯＭ（フラッシュＲＯＭ）等が用いられる。
【００１９】
操作部３０は、処理モード切換えスイッチ、機能選択用ボタン（複数個）、メインスイッチ、ストロボ設定ボタン、セルフタイマー設定ボタン３６、シャッターボタン３７、画像データ出力用ボタンおよび記録／再生モード切換えスイッチ等のスイッチやボタンを構成部分とし、これらのスイッチ或いはボタンが操作されると状態信号がＣＰＵ２１に送出される。
【００２０】
表示部４０は液晶ディスプレイ装置等の表示装置から構成されており、撮像時に被写体画像が表示されるので、画面をファインダとして用いることができる。また、再生モード時には再生画像を表示できる。
ＲＯＭ４５には、表示部４０に表示するＯＳＤ（0n Screen Display;挿入表示）用の記号や、図形および文字等の情報および撮像状態コードと撮像状態報知用のデジタル化された音声データの組が記録（登録）されている。
【００２１】
記録部５０は記録媒体を収容しＣＰＵ２１の制御により記録媒体５１上に信号処理部１３からの画像データを記録する。なお、実施例では記録部５０は記録媒体としてのメモリーカード５１を着脱可能に構成し、データの書込／読み出しを行なうように構成したが、フラッシュメモリー等の内部に固定された記録媒体にデータの書込／読み出しを行なうように構成してもよい。
なお、ＲＯＭ４５に代えてメモリーカード５１にＯＳＤ用の記号や、図形および文字等の情報および画像の撮像状態コードと撮像状態報知用のデジタル化された音声データの組を記録（登録）するようにしてもよい。
【００２２】
＜音声出力部＞
音声出力部１０は、画像の撮像状態メッセージを音声出力する。撮像状態メッセージはＲＯＭ４５（或いはメモリーカード５１）の音声データ登録リスト４５２に登録されており（図３）、撮像後にＣＰＵ２１を介して状態コードに対応する撮像時の画像の撮像状態メッセージ（音声データ）が音声出力部１０に与えられる。
図２は音声出力部１０の構成例を示すブロック図であり、音声出力部１０は、ＣＰＵ２１を介してＲＯＭ４５から取り出されたデジタルデータ（音声データ）をＤ／Ａ変換してアナログデータ（音声信号）とするＤ／Ａ変換器１０１と、Ｄ／Ａ変換器１０１の出力を整形して出力用音声信号を得る音声信号処理部１０２と、音声信号処理部１０２からの音声信号を音声に変換して出力するスピーカ１０３を有している。
【００２３】
＜音声データ登録リストの例＞
図３はＲＯＭ４５に登録されている音声データの例を示す説明図であり、ＲＯＭ４５には音声データ登録リスト４５２用の領域が確保され、音声データ登録リスト４５２には画像の撮像状態を示す状態コードと対応の撮像状態メッセージ（音声データ）がデジタル化されて登録されている。
図３の例では、コード「００」には画像の撮像不良状態が発見されなかったことを意味するメッセージ「ＯＫです」が対応し、以下、コード「０１」，「０２」〜「ｎ」には撮像時に生じた撮像不良状態と対策を報知するメッセージがそれぞれ対応付けられて登録されている。
【００２４】
＜実施形態１＞  撮像条件の報知
本実施形態では、図１の構成に加え、図示しない温度計測器、湿度計測器、高度計等の環境条件計測器とそれらに接続するＡ／Ｄ変換器を設け、各計測器により測定された各計測値はＡ／Ｄ変換器によりデジタル化されてＣＰＵ２１を介してＲＡＭ２２に一時的に記憶され、時間経過にしたがって更新されるように構成している。
デジタルカメラ１００で被写体を撮像後、メモリーカード５１に当該被写体の画像データを記録し終るまでに、記録密度によって異なるが若干の時間Ｔ（１〜２秒、高密度のものでは１０秒程度）がかかっている。
【００２５】
本実施形態では、上記時間Ｔの間に表示部４０に焦点距離（Ｆ値）、シャッタースピード、撮像モード等の撮像条件や、上述の環境条件計測値によって得られた温度や湿度、高度等の撮像環境条件を表示または音声出力する。また、表示または音声出力された撮像条件および撮像環境条件をメモリーカード５１に記録することもできる。
【００２６】
図４は、撮像条件検出手段の構成を示すブロック図であり、撮像条件検出手段２１０は、撮像条件取得手段２１１、撮像環境条件検知手段２１２、および撮像条件出力手段２１３を有している。また、撮像条件記録手段２１４を設けてもよい。
【００２７】
撮像条件取得手段２１１は、デジタルカメラ１００が撮像過程で得る様々な値、例えば、Ｆ値、シャッタースピード（ＳＰ）、光量、電圧、モード、操作指示……等のうち、撮像時点での撮像条件を示す値（本実施例では、Ｆ値、シャッタースピード、モード）を表示用撮像条件として取得する。すなわち、デジタルカメラ１００では撮像過程でＣＰＵ２１の制御動作および各種処理実行により得る様々な値をＲＡＭ２２或いはＤＲＡＭ１４の所定の領域に一時的に記憶する。
従って、表示用撮像条件がどの領域に記憶されているかを知ることができる。そこで、撮像条件取得手段２１１は撮像時点（シャッター３７が押し下げられた時点）にそれら記憶領域を調べて表示用撮像条件値を取り出すことができる。
【００２８】
撮像環境条件検知手段２１２は、撮像時点から撮像された被写体の画像データが記録され終わるまでの間に、上述の各環境条件計測器からの新たな計測値によって撮像時点での計測値（撮像時点でＲＡＭ２２に記憶されている計測値）が更新されないようにして計測値を固定し、周囲温度、湿度、高度等を取り出す。
【００２９】
撮像条件出力手段２１３は、撮像条件取得手段２１１および撮像環境条件検知手段２１２で得た撮像条件値および環境条件値を、撮像時点から撮像された被写体の画像データが記録され終わるまでの間、表示部４０に表示する（図５）。
【００３０】
図５は、デジタルカメラ１００での撮像条件表示の一実施例を示す図であり、表示部４０の画面には撮像時の被写体画像（静止画）４１および撮像条件（Ｆ値、シャッタースピード（ＳＰ）および温度（℃））４２が表示されている。
【００３１】
図６は撮像条件表示動作の一例を示すフローチャートであり、図５の画像４１の撮像条件４２を表示する場合を例として説明する。
デジタルカメラ１００の電源スイッチをオンにすると、温度計測器からの計測値がＲＡＭ２２に取込まれ、一時的に記憶される（Ｓ１）。
記録モードでデジタルカメラ１００を被写体に向けると、被写体画像が取込まれ、スルー画像が表示部４０に表示される。また、デジタルカメラ１００の動作により得られる各種条件値がＲＡＭ２２またはＤＲＡＭ１４の所定領域に一時記憶される（Ｓ２）。
撮像されたか否か（シャッターボタン３７が押し下げられたか否か）を調べる（Ｓ３）。
上記Ｓ３で、撮像された場合には、その時点での画像データがＤＲＡＭ１４に取込まれ、圧縮処理等が開始されメモリーカード５１への記録が開始される。また、取込まれた画像（静止画）が表示部４０の画像表示領域に表示される。また、記録の開始とほぼ同時に、ＲＡＭ２２或いはＤＲＡＭ１４の所定の領域に一時的に記憶されているＦ値およびＳＰ値を取り出すと共に、温度計測器からの計測値を撮像時点の計測値で固定して周囲温度（℃）を取り出す（Ｓ４）。
取り出されたＦ値、ＳＰ値、および温度を、表示部４０の撮像条件表示領域に表示する（Ｓ５）。
取込まれた画像のメモリーカード５１への記録が終了するまで上記Ｓ５の撮像条件表示を続行する（Ｓ６）。
【００３２】
上記実施例では撮像条件を表示出力する場合を例としたが、撮像条件を音声出力部１０から音声出力するようにしてもよい。音声出力の例として、ＲＯＭ４５或いはメモリーカード５１にＦ値やＳＰ値および温度等の数値メッセージ（音声データ）と単位メッセージ（音声データ）を格納しておき、出力時に撮像条件値に合わせて合成し、音声出力部１０に送って音声出力部１０から音声出力することができる。
【００３３】
＜実施形態２＞  画像の撮像状態の報知
本実施形態では、撮像後に画像の撮像状態（以下、撮像状態と記す）、例えば、カメラの手振れ、ピンボケ、光量不足、汚れ等の有無を使用者に報知する。
報知方法として、以下の実施例では、図１の構成例のように音声出力部を備え撮像状態を音声メッセージによって使用者に報知する例について述べるが、液晶ディスプレイのような表示装置に撮像状態をメッセージ表示するようにしてもよく、また、ランプ表示等によって撮像状態を報知することもできる。
【００３４】
［撮像状態検出手段］
図７は、撮像状態検出手段の構成を示すブロック図であり、撮像状態検出手段２２０は、撮像状態検知手段２２１−１〜２２１〜ｎ、撮像状態分析手段２２２、および撮像状態データ出力手段２２３を有している。
【００３５】
撮像状態検知手段２２１は、デジタルカメラ１００の撮像時の状態や画像の状態を検知する各手段（装置、回路或いはプログラムモジュール）２２１−１〜２２１〜ｎから構成されている。例えば、撮像状態検知手段２２１−１としてカメラの手振れ検知用に振動検知器を、撮像状態検知手段２２１−２としてピンボケ検出用に信号処理部１３のカラープロセス回路を、撮像状態検知手段２２１−３として光量不足検出用に自動絞り機構１１２の光量測定装置を、撮像状態検知手段２２１−４としてレンズ汚れの検出用に信号処理部１３のカラープロセス回路を用いることができる。また、後述するように、手振れ検知にカラープロセス回路からの信号を用いることもできる。
【００３６】
撮像状態分析手段２２２は、撮像状態検知手段２２１−１〜２２１〜ｎに対応する撮像状態分析モジュール２２２−１〜２２２〜ｎで構成され、撮像状態検知手段２２１−１〜２２１〜ｎで得たそれぞれの状態を分析して、その撮像状態を判定し、その結果を撮像状態検出フラグテーブル（図８）の対応の撮像状態フラグにセットする。
【００３７】
図８は、撮像状態検出フラグテーブルの一実施例を示す図であり、撮像状態検出フラグテーブル８０はＲＡＭ２２に設けられ、１桁のＯＫフラグ１個とそれぞれ１桁（１バイト）の状態フラグ領域ｎ個からなっている。
状態フラグ１〜ｎは撮像状態分析モジュール２２２−１〜２２２−ｎに対応して設けられる。撮像状態分析手段は撮像状態分析モジュール２２２−１〜２２２ほｎの各分析結果について撮像された画像に異常状態がない（或いは、不良状態がない）ものには対応のフラグをオフ（＝０）とし、異常状態がある（或いは、不良状態がある）ものについては対応のフラグをオン（＝１）とする。また、すべての状態フラグがオフの場合にはＯＫフラグをオンとし、各状態フラグのうちオンの状態フラグが１つでもあった場合にはＯＫフラグをオフとする。図８の例では、状態フラグが全てオフであり、ＯＫフラグがオンの状態が示されている。
【００３８】
撮像状態データ出力手段２２３は、撮像状態検出フラグテーブル８０（図８）のＯＫフラグを調べ、ＯＫフラグがオンの場合には音声データ登録リスト４５２の状態コード「００」に対応する音声データ（撮像状態メッセージ）をＣＰＵ２１を介して音声出力部１０に送出する。また、ＯＫフラグがオフの場合には、撮像状態検出フラグテーブル８０の各状態フラグ０１〜ｎのうちオンのフラグ番号ｉを音声データ登録リストの状態コード「ｉ」に対応させ、状態コード「ｉ」に対応する音声データをＣＰＵ２１を介して音声出力部１０に送出する。オンの状態フラグが複数ある場合には、順次、対応する音声データを音声出力部１０に送出する。
【００３９】
図９は、撮像状態報知動作の一例を示すフローチャートである。
記録モードでは撮像前にはスル−画像が表示部４０に表示されているが、それと同時に、デジタルカメラ１００に設けられた振動検知装置による振動測定や、光量測定装置による光量測定や、カラープロセス回路による各種信号の生成等による画像の取込状態検知が行なわれる（Ｔ１）。
ＣＰＵ２１はシャッターボタン３７が押されたか否かを調べ（Ｔ２）、シャッターボタン３７が押されると、撮像時点において検知された各種状態データを対応の状態分析モジュールで分析する（Ｔ３）。
上記Ｓ３での分析結果がそれぞれの対応の閾値を超えたか否かを調べ（Ｔ４）、超えたものについては画像に不良状態ありとして撮像状態検出フラグテーブル８０の対応の状態フラグをオンにし（Ｔ５）、対応の閾値以下のものについては対応の状態フラグをオフとする（Ｔ６）。また、全ての状態フラグがオフか否かを調べ（Ｔ７）、全てがオフの場合にはＯＫフラグをオンとし（Ｔ８）、１つでもオンの状態フラグがある場合にはＯＫフラグをオフとする（Ｔ９）。
音声データ登録リスト４５２から、撮像状態検出フラグテーブル８０のオンの状態フラグに対応する音声データを取り出して音声出力部１０に送出する（Ｔ１０）。音声出力部１０では受け取った音声データを音声信号に復元して撮像状態メッセージを音声出力し、検知した撮像状態を撮像者等に報知する（Ｔ１１）。
【００４０】
［状態検出の実施例（イ）］
以下に、撮像状態検知手段２２１の一実施例として振動検知装置を用い、振動検知装置により撮像時の手振れを検知して撮像後に報知する例について述べる。
【００４１】
図１０は振動検知装置を用いた撮像状態検知手段２２１−１の要部ブロック図であり、振動検知装置６０はデジタルカメラ本体１００（図１）の撮像レンズ１１１の近くに設けられている。
【００４２】
振動検知装置６０として本実施例では圧電素子（ピエゾ素子）６１を用いた振動検知装置を使用している。圧電素子としてピエゾ素子を用いた振動検知装置は振動により圧電素子に歪力が伝達されると圧電素子は歪みの大きさに応じた電圧を生じるので、これを増幅器６２によって増幅してＡ／Ｄ変換器６３によりデジタル信号に変換して制御部２０に送出する。
【００４３】
振動検知装置６０は、使用者がデジタルカメラ１００’を動かすたびに作動すると撮像時の手振れの検知が困難となるので、撮像時のみ作動するようにデジタルカメラ１００を構成する。このために、シャッターボタン３７が押し下げられてから時間ｔ後に撮像がなされるようにし、且つシャッターボタン３７が押されない場合は振動検知装置６０からの信号を受け入れず、シャッターボタン３７が押された時点で振動検知装置６０からの信号を受入れ可能にする。そして、シャッターの押し下げ後から時間ｔの間に振動検知装置６０により検知された振動値が閾値λより大きい場合に手振れが生じたものと判定する。
【００４４】
図１１は、振動検知装置を用いた手振れ検知時の撮像状態報知動作例を示すフローチャートである。
制御部２０は、シャッターボタン３７が押されたか否かを調べ（Ｕ１）、押された場合には振動検知装置６０からの信号を受け取って閾値λと比較し（Ｕ２）、閾値λより大きい場合には撮像状態検出フラグテーブル８０の状態フラグ１をオンにしてＵ６に移行する（Ｕ３）。
上記Ｕ３で、振動検知装置６０からの信号が閾値λ以下の場合には時間ｔを経過したか否かを調べ（Ｕ４）、時間ｔを経過していない場合には上記Ｕ２に戻り、時間ｔを経過した場合には撮像状態フラグ１をオフにする（Ｕ５）。
全ての状態フラグがオフか否かを調べ（Ｕ６）、全てがオフの場合にはＯＫフラグをオンとし（Ｕ７）、１つでもオンの状態フラグがある場合にはＯＫフラグをオフとする（Ｕ８）。
音声データ登録リスト４５２から、撮像状態検出フラグテーブル８０のオンの状態フラグに対応する音声データを取り出して、音声出力部１０に送出する（Ｕ９）。音声出力部１０では、受け取った音声データを音声信号に復元して撮像状態メッセージを音声出力して撮像者等に検知した撮像状態を報知する（Ｕ１０）。
【００４５】
上記動作により、手振れがあった場合には上記ステップＵ２〜Ｕ４で状態フラグ１がオンにされ、ステップＵ９で音声データ登録リスト４２５からコード「０１」に対応の音声データが取り出されて音声出力部１０に送られ、ステップＵ１０で音声出力部１０により、受け取った音声データが音声に復元され、手振れがあった旨の撮像状態メッセージ「手振れがありました、撮り直して下さい」が音声出力され撮像者等に報知される。
【００４６】
なお、上記実施例では振動検知装置６０を圧電素子を用いた振動検知装置として構成したが、振動検知装置６０をフォトセンサーを用いて構成することもできる。
また、図１１と同様の動作で自動絞り機構１１２の光量測定装置を撮像状態検知手段として光量不足を検知して報知することもできる。
この場合には、図１１のステップＵ２，Ｕ３で検知された光量が閾値ν以下のときに撮像状態検出フラグテーブル８０の状態フラグ３をオンにするようにし、時間ｔを経過するまで光量が閾値νより大きい場合にはステップＵ５で撮像状態フラグ３をオフにするようにする。
【００４７】
［状態検出の実施例（ロ）］
信号処理部１３のカラープロセス回路では、画像データから輝度信号、色成分信号等を分離し、生成する。
【００４８】
図１２は、信号処理部１３のカラープロセス回路の構成例を示すブロック図である。
図１２で、カラープロセス回路１３１は、Ｒ成分積分器１３１１，Ｇ成分積分器１３１２，Ｂ成分積分器１３１３，ＡＥ（オートアイリス）用積分器１３１４，ＡＦ（オートフォーカス）用フィルタ１３１５，ＡＷＢ回路１３１７，および信号合成回路１３１８を有している。
【００４９】
ＣＣＤで光電変換された画像信号は、信号変換部１２のＡ／Ｄ変換器でＡ／Ｄ変換されカラープロセス回路１３１に入力される。
カラープロセス回路１３１では、入力信号に対しオートアイリス（ＡＥ）用信号，オートホワイトバランス（ＡＷＢ）用信号，オートフォーカス（ＡＦ）用信号，およびＹ，Ｃｂ，Ｃｒ信号の生成処理等を行なう。
【００５０】
ＡＥ用積分器１３１４では入力信号を積分してその積分値を出力し、ＡＦ用フィルタ１３１５では入力信号からコントラストオートフォーカス用高周波を検出するため、入力信号に対しハイパスフィルタ（ＨＰＦ）をかけた後にその出力の積分値を出力し、ＡＷＢ回路１３１７ではＲ成分積分器１３１１，Ｇ成分積分器１３１２およびＢ成分積分器１３１３によって積分された各成分の積分値を出力する。これら積分出力は制御部２０に入力され、制御部２０はこれらの信号を基に信号処理部１２のＡＧＣに与えるゲインや、シャッタースピードや、レンズ１１１を制御する制御信号を出力する。したがって、上記カラープロセス回路１３１を撮像状態検知手段２２１の一つとして、カラープロセス回路１３１の積分出力を用いて撮像状態を検知することができる。
【００５１】
以下に、撮像状態検知手段２２１の一実施例としてデジタルカメラ１００の撮像データ（カラープロセス回路１３１の積分出力）を用いて撮像時の手振れを検知して撮像後に報知する例について述べる。
【００５２】
図１３は、手振れ検出に用いるＡＦ用高周波の積分出力分布の例を示す分布図であり、（ａ）は撮像時点より時間ｔだけ前の積分出力の分布図、（ｂ）は手振れのない場合の撮像時点での積分出力の分布図、（ｃ）は手振れがあった場合の撮像時点での積分出力の分布図、（ｄ），（ｅ）は手振れの有無による差分の変化を示す図である。
【００５３】
撮像時点より時間ｔだけ前のＡＦ用フィルタ１３１５の積分出力をＹ0-t とし（ａ）、撮像時点で手振れ等がない場合の積分出力をＹ0とすると（ｂ）、手振れが全くなければ時間ｔの間の積分出力の差ΔＹ＝Ｙ0ーＹ0-tは一定値Ｃとなって（ｄ）に示すようにライン全体にわたって一定となる。
しかし、撮像時点で手振れ等があった場合には時間ｔだけ前の積分出力Ｙ0-t と撮像時点での積分出力Ｙ’0の差ΔＹ’＝Ｙ’0−Ｙ0-tは（ｅ）に示すようにライン上で変動する。
【００５４】
そこで、ＡＦ用高周波の積分値を時間ｔ’（ｔ’≦ｔ）毎にサンプリングして、１回前の積分値との差が１ライン分にわたって閾値ρ以内か否かを調べることにより手振れ等の振動により画像がぶれたか否かを検知できる。
なお、理想的には積分出力の差ΔＹ＝Ｙ0−Ｙ0-t＝Ｃの場合が手振れなしの場合であるが、実施上は手でカメラを固定したつもりでも呼吸等の間合いに小さな振動が生じること、三脚等の器具でカメラを固定しても地面の振動が伝達されること、およびカメラの構造や解像度上、多少の振動は無視できる等の実施上の要素を考慮してカメラの性能上振動を吸収できる範囲で閾値ρを定めることが望ましい。
【００５５】
図１４は、ＡＦ用高周波を用いた手振れ検知時の撮像状態報知動作例を示すフローチャートである。
記録モードでは、入力された画像信号を基にカラープロセス回路１３１でＡＦ用信号が出力され、ＡＥ用積分器１３１４で積分される（Ｖ１）。
１ライン分の積分値はＲＡＭ２２に記録され、時間ｔ’毎にサンプリングされ、前回および今回のサンプリング値がＲＡＭ２２に保持される（Ｖ２）。
制御部２０は、シャッターボタン３７が押されたか否かを調べ（Ｖ３）、押された場合には前回のサンプリング値とシャッターボタン３７が押された時点の１ライン分の積分値との差ΔＹを閾値ρと比較し（Ｖ４）、閾値ρより大きい場合には撮像状態検出フラグテーブル８０の状態フラグ１をオンにしてＶ７に移行し（Ｖ５）、差が閾値ρ以下の場合には撮像状態フラグ１をオフにする（Ｖ６）。全ての状態フラグがオフか否かを調べ（Ｖ７）、全てがオフの場合にはＯＫフラグをオンとし（Ｖ８）、１つでもオンの状態フラグがある場合にはＯＫフラグをオフとする（Ｖ９）。
音声データ登録リスト４５２から、撮像状態検出フラグテーブル８０のオンの状態フラグに対応する音声データを取り出して、音声出力部１０に送出する（Ｖ１０）。音声出力部１０では受け取った音声データを音声信号に復元して撮像状態メッセージを音声出力して撮像者等に検知された撮像状態を報知する（Ｖ１１）。
【００５６】
上記動作により、手振れがあった場合には撮像データを基に、上記ステップＶ３〜Ｖ５で状態フラグ１がオンにされ、ステップＶ１０で音声データ登録リスト４５２からコード「０１」に対応の音声データが取り出されて音声出力部１０に送られ、ステップＶ１１で音声出力部１０により、受け取った音声データが音声に復元され、手振れがあった旨の撮像状態メッセージ「手振れがありました、撮り直して下さい」が音声出力され撮像者等に報知される。
【００５７】
なお、図１４とほぼ同様の動作でカラープロセス回路１１３を撮像状態検知手段として時間ｔ内の輝度信号およびＡＦ用高周波の分布の差を基にピンボケ状態を検知して報知したり、撮像時の輝度信号を基に光量不足を検知して報知したり、撮像前と撮像時の色分布信号の差（或いは特徴）を基に画像の汚れを検知して報知することもできる。
【００５８】
以上本発明の実施例について説明したが、本発明は上記実施例に限定されるものではなく、種々の変形実施が可能であることはいうまでもない。
【００５９】
【発明の効果】
以上説明したように、請求項１記載の発明によれば、撮像素子より得られる画像信号を積分することにより得られる１ライン分の画素値を積分した積分値を保持しておき、撮影指示が検出された場合に、前記保持されている１ライン分の画素値を積分した積分値と新たに得られる１ライン分の画素値を積分した積分値との差が所定値よりも大きい場合に報知を行うようにしたので、例えば、手ぶれなどの検出処理を正確且つ短時間に行うことができ、使用者は撮影記録の状態に対してどのような影響があるかを素早く正確に確認することができる。
【図面の簡単な説明】
【図１】本発明を適用したカメラ装置の一実施例としてのデジタルカメラの回路構成例を示すブロック図である。
【図２】音声出力部の構成例を示すブロック図である。
【図３】登録されている音声データの例を示す説明図である。
【図４】撮像条件検出手段の構成を示すブロック図である。
【図５】デジタルカメラでの撮像条件表示の一実施例を示す図である。
【図６】撮像条件表示動作の一例を示すフローチャートである。
【図７】撮像状態検出手段の構成を示すブロック図である。
【図８】撮像状態検出フラグテーブルの一実施例を示す図である。
【図９】撮像状態報知動作の一例を示すフローチャートである。
【図１０】振動検知装置を用いた撮像状態検知手段の要部ブロック図である。
【図１１】振動検知装置を用いた手振れ検知時の撮像状態報知動作例を示すフローチャートである。
【図１２】信号処理部のカラープロセス回路の構成例を示すブロック図である。
【図１３】手振れ検出に用いるＡＦ用高周波の積分出力分布の例を示す分布図である。
【図１４】ＡＦ用高周波を用いた手振れ検知時の撮像状態報知動作例を示すフローチャートである。
【符号の説明】
４０  表示部（表示装置）
５１  メモリーカード（記録媒体）
１００  デジタルカメラ（カメラ装置）
２１１  撮像条件取得手段
２１２  撮像環境条件検知手段
２１３  撮像条件出力手段（出力手段）
２２１  撮像状態検知手段
２２２  撮像状態分析手段
２２３  撮像状態報知手段（報知手段）
【図１】
0004316694.tif 000002
【図２】
0004316694.tif 000003
【図３】
0004316694.tif 000004
【図４】
0004316694.tif 000005
【図５】
0004316694.tif 000006
【図６】
0004316694.tif 000007
【図７】
0004316694.tif 000008
【図８】
0004316694.tif 000009
【図９】
0004316694.tif 000010
【図１０】
0004316694.tif 000011
【図１１】
0004316694.tif 000012
【図１２】
0004316694.tif 000013
【図１３】
0004316694.tif 000014
【図１４】
0004316694.tif 000015